(57)【特許請求の範囲】
【請求項１】
軒樋と、竪樋と、前記軒樋よりも下流側に配置され、前記竪樋の上端部に連なる接続継手と、縮径部を有し前記竪樋に設けられたサイフォン継手と、を備える雨樋システムであって、
前記軒樋の流路断面積は１１０００ｍｍ２以上であり、
前記竪樋の内径は９８ｍｍ以上であり、
前記竪樋の肉厚は３ｍｍ以上５ｍｍ以下であり、
前記縮径部の前記竪樋内面から突出高さは３．５ｍｍ以上６ｍｍ以下であり、
前記サイフォン継手は、前記縮径部の下流側に合流部を有し、
前記接続継手と前記サイフォン継手との間に位置する前記竪樋の長さは１ｍ以上である雨樋システム。
【請求項２】
前記接続継手の軸線を含む断面おいて、前記接続継手の内周側の内壁面の曲率半径が、６４ｍｍよりも大きくかつ１２５ｍｍよりも小さい請求項１に記載の雨樋システム。
【請求項３】
前記接続継手の両端に設けられた接続部の軸線同士のなす角度は、４５°以下である請求項１又は２に記載の雨樋システム。
【請求項４】
前記軒樋の前記下流側に接続され、前記竪樋に接続された呼び樋を備え、
前記呼び樋の長さは３ｍ以下であり、
前記呼び樋の軸線と前記竪樋の軸線とのなす角度は４５°以下である請求項１から３のいずれか一項に記載の雨樋システム。
【請求項５】
前記竪樋における前記下流側の端部に接続された地中埋設配管と、
前記竪樋における、前記サイフォン継手と前記地中埋設配管との間に設けられた拡径部と、
を備える請求項１から４のいずれか一項に記載の雨樋システム。
【発明の詳細な説明】
【技術分野】
【０００１】
本発明は、雨樋システムに関する。
【背景技術】
【０００２】
従来、竪樋に縮径部を設けた雨樋システムでは、サイフォン現象が発生することが知られている（例えば、特許文献１参照）。この雨樋システムでは、縮径部で雨水（水）が溜められている。そして、溜まった雨水に作用する重力により、サイフォン現象が発生する。
【先行技術文献】
【特許文献】
【０００３】
【特許文献１】特開２０１２−１４４８７０号公報
【発明の概要】
【発明が解決しようとする課題】
【０００４】
前記特許文献１の雨樋システムは住宅等に用いられる小型の雨樋システムである。一方で、物流倉庫、工場等に用いられる大型の雨樋システムが検討されている。この種の雨樋システムでは、排出される雨水の流量に対応して、軒樋の流路断面積や竪樋の内径を大きくする必要がある。
ところで、軒樋と縮径部との間にエルボ（接続継手）がある場合、縮径部でサイフォン現象が発生しない場合や、縮径部で発生したサイフォン現象が、雨水が流れる上流側の軒樋まで伝わらない場合がある。このような場合、軒樋から縮径部にかけて排出されない雨水がたまり、軒樋から雨水が溢れる虞がある。
【０００５】
本発明は、このような問題点に鑑みてなされたものであって、縮径部を備える大型の雨樋システムであっても、サイフォン現象をより確実に発生させるとともに、発生したサイフォン現象を上流側の部分に安定して伝達することができる雨樋システムを提供することを目的とする。
【課題を解決するための手段】
【０００６】
前記課題を解決するために、この発明は以下の手段を提案している。
本発明の雨樋システムは、軒樋と、竪樋と、前記軒樋よりも下流側に配置され、前記竪樋の上端部に連なる接続継手と、縮径部を有し前記竪樋に設けられたサイフォン継手と、を備える雨樋システムであって、前記軒樋の流路断面積は１１０００ｍｍ２以上であり、前記竪樋の内径は６５ｍｍ以上であり、前記接続継手と前記サイフォン継手との間に位置する前記竪樋の長さは１ｍ以上であることを特徴としている。
ここで言う軒樋の流路断面積とは、軒樋の長手方向に沿って見たときの、軒樋内で雨水が流れ得る断面積のことを意味する。
【０００７】
この発明によれば、軒樋の流路断面積は１１０００ｍｍ２以上であり、竪樋の内径は６５ｍｍ以上である。このため、雨樋システムを、物流倉庫等に用いられる大型の雨樋システムとして用いることができる。竪樋に設けられたサイフォン継手が縮径部を有するため、縮径部から下流側に流れ出る雨水の流量よりも、縮径部に流れ込む雨水の流量が多くなる。このため、雨水は縮径部内に溜まりやすい。縮径部内に雨水が溜まると、縮径部よりも下流側に配置された竪樋は満水状態になる。すると、縮径部内の雨水が縮径部よりも下流側に配置された竪樋内の雨水に引っ張られてサイフォン現象が発生し、雨樋システム内の雨水が下流側に勢い良く流れる。
この際に、本願の発明者らは、接続継手とサイフォン継手との間に位置する竪樋の長さが１ｍ以上であることで、縮径部を有するサイフォン継手でサイフォン現象をより確実に発生させるとともに、サイフォン継手で発生したサイフォン現象を雨樋システムにおける上流側の部分に安定して伝達することができることを見い出した。
従って、縮径部を備える大型の雨樋システムであっても、サイフォン現象をより確実に発生させるとともに、発生したサイフォン現象を上流側の部分に安定して伝達することができる。
【０００８】
また、前記雨樋システムにおいて、前記接続継手の軸線を含む断面おいて、前記接続継手の内周側の内壁面の曲率半径が、６４ｍｍよりも大きくかつ１２５ｍｍよりも小さくてもよい。
この発明によれば、接続継手の軸線に沿う方向の一方の端部から接続継手内に流れ込んだ雨水は、接続継手の内周側の内壁面で滞らず、内壁面で雨水の流速が低下し難い。このため、接続継手内に流れ込んだ雨水を接続継手の軸線に沿う方向の他方の端部に向かって円滑に流すことができる。
【０００９】
また、前記雨樋システムにおいて、前記接続継手の両端に設けられた接続部の軸線同士のなす角度は、４５°以下であってもよい。
ここで言う接続部の軸線同士のなす角度は、両軸線のなす角度のうち、鋭角の方の角度を意味する。
この発明によれば、接続継手の一方の接続部から接続継手内に流れ込んだ雨水は、接続継手内で滞らず、接続継手内で雨水の流速が低下し難い。このため、接続継手内に流れ込んだ雨水を接続継手の他方の接続部に向かって円滑に流すことができる。
【００１０】
また、前記雨樋システムにおいて、前記軒樋の前記下流側に接続され、前記竪樋に接続された呼び樋を備え、前記呼び樋の長さは３ｍ以下であり、前記呼び樋の軸線と前記竪樋の軸線とのなす角度は４５°以下であってもよい。
ここで言う呼び樋の軸線と竪樋の軸線とのなす角度とは、両軸線のなす角度のうち鋭角の方の角度を意味する。
この発明によれば、雨樋システムから単位時間当たりに排出する雨水の流量をより多くすることができる。
【００１１】
また、前記雨樋システムにおいて、前記竪樋における前記下流側の端部に接続された地中埋設配管と、前記竪樋における、前記サイフォン継手と前記地中埋設配管との間に設けられた拡径部と、を備えてもよい。
この発明によれば、拡径部内において雨水が負圧になることで、竪樋における拡径部よりも上流側の部分での雨水の流量を、さらに多くすることができる。従って、雨樋システムを流れる雨水の流量を、さらに多くすることができる。
【発明の効果】
【００１２】
本発明の雨樋システムによれば、縮径部を備える大型の雨樋システムであっても、サイフォン現象をより確実に発生させるとともに、発生したサイフォン現象を上流側の部分に安定して伝達することができる。
【図面の簡単な説明】
【００１３】
【図１】本発明の第１実施形態の雨樋システムの一部を破断した側面図である。
【図２】同雨樋システムの第２接続継手の縦断面図である。
【図３】同雨樋システムのサイフォン継手の縦断面図である。
【図４】本発明の第１実施形態の変形例における、雨樋システムの一部を破断した側面図である。
【図５】本発明の第２実施形態の雨樋システムの一部を破断した側面図である。
【図６】本発明の第１変形例の雨樋システムのサイフォン継手の縦断面図である。
【図７】同雨樋システムのサイフォン継手の拡大図である。
【図８】本発明の第２変形例の雨樋システムのサイフォン継手の縦断面図である。
【図９】同雨樋システムのサイフォン継手の拡大図である。
【図１０】本発明の第３変形例の雨樋システムの一部を破断した側面図である。
【発明を実施するための形態】
【００１４】
（第１実施形態）
以下、本発明に係る雨樋システムの第１実施形態を、図１から図４を参照しながら説明する。
図１に示すように、本実施形態の雨樋システム１は、物流倉庫等の建築物２００に用いられる大型の雨樋システムである。
雨樋システム１は、軒樋１０と、第１接続継手２０と、呼び樋３０と、第２接続継手（接続継手）３５と、竪樋４５と、サイフォン継手５０と、を備えている。
軒樋１０は、建築物２００の軒下に配置されている。すなわち、軒樋１０は、建築物２００の屋根２０１の端２０１ａの下方に配置されている。軒樋１０は、屋根２０１の端２０１ａに沿う第１方向Ｘに沿って延びている。図１では、軒樋１０を第１方向Ｘに直交する方向に破断している。
例えば、第１方向Ｘは水平面に沿う方向である。軒樋１０は、上方が開口するＵ字形に形成されている。軒樋１０は、底壁１１と、第１側壁１２と、第２側壁１３と、を備えている。
【００１５】
底壁１１は、上下方向Ｚを厚さ方向とする板状に形成されている。底壁１１の上面は、軒樋１０の底面１１ａである。底壁１１の底面１１ａには、底壁１１を上下方向Ｚに貫通する開口部１１ｂが形成されている。例えば、開口部１１ｂは平面視で円形を呈している。なお、開口部１１ｂは平面視で矩形等を呈していてもよい。
底壁１１の幅方向は、第１方向Ｘ及び上下方向Ｚにそれぞれ直交する第２方向Ｙである。
【００１６】
第１側壁１２は、底壁１１における第２方向Ｙの第１側の端部（第１端部）から上方に向かって立ち上がっている。第１側壁１２は、上方に向かうに従い漸次、第２方向Ｙの第１側に向かうように傾斜して配置されている。第２側壁１３は、底壁１１における第２方向Ｙの第１側とは反対の第２側の端部（第２端部）から上方に向かって立ち上がっている。第２側壁１３は、上方に向かうに従い漸次、第２方向Ｙの第２側に向かうように傾斜して配置されている。
例えば、軒樋１０は、塩化ビニル鋼板等を折り曲げることで形成されている。
この例では、第１側壁１２の上端は、第２側壁１３の上端よりも上方に配置されている。この例の軒樋１０は、いわゆる前高樋である。
第１側壁１２は、上下方向Ｚに見たときに、屋根２０１の端２０１ａよりも第２方向Ｙの第１側に配置されている。第２側壁１３は、上下方向Ｚに見たときに、屋根２０１の端２０１ａよりも第２方向Ｙの第２側に配置されている。
【００１７】
軒樋１０の流路断面積とは、軒樋１０の長手方向（第１方向Ｘ）に沿って見たときの、軒樋１０内で雨水が流れ得る断面積のことを意味する。ここで、第２側壁１３の上端を通り水平面に沿う基準線Ｌ１を規定する。軒樋１０内で雨水が基準線Ｌ１を上方に超えて流れると、第２側壁１３から外側に溢れる。流路断面積Ｓは、底壁１１、第１側壁１２、第２側壁１３、及び基準線Ｌ１により囲われる面積のことを意味する。
流路断面積Ｓは、１１０００ｍｍ２以上である。流路断面積Ｓは、２９０００ｍｍ２以上であることが好ましく、４００００ｍｍ２以上であることがより好ましい。
【００１８】
軒樋１０は、建築物２００に、図示しない固定具により固定されている。軒樋１０は、水平面に対して適宜水勾配を有するように配置されていることが好ましい。
なお、軒樋は、第１側壁の上端の上下方向Ｚの位置と、第２側壁の上端の上下方向Ｚの位置とが互いに等しい、いわゆる平行樋等であってもよい。軒樋が平行樋である場合、流路断面積Ｓは、底壁、第１側壁、第２側壁、及び各側壁の上端を通り水平面に沿う基準線により囲われる面積のことを意味する。
【００１９】
第１接続継手２０は、曲管部２１と、第１接続部２２と、第２接続部２３と、を備えている。
曲管部２１の軸線を含む断面において、曲管部２１の中心角度は、約４５°である。
第１接続部２２は、曲管部２１の軸線方向の第１端部に配置されている。第１接続部２２は、軒樋１０における開口部１１ｂの周縁部に接続されている。
第２接続部２３は、受け口である。第２接続部２３の内径は、曲管部２１の内径よりも大きい。第２接続部２３は、曲管部２１の軸線方向の第１端部とは反対の第２端部に配置されている。
なお、第１接続継手において、第２接続部は差し口であってもよい。
【００２０】
呼び樋３０は、直管状に形成されている。
呼び樋３０の第１端部は、第１接続継手２０の第２接続部２３内に挿入されている。第２接続部２３と呼び樋３０とは、水密に保持されている。呼び樋３０は軒樋１０における、雨水が流れる下流側に接続されている。第１接続継手２０は、軒樋１０と呼び樋３０とを接続している。すなわち、呼び樋３０は軒樋１０の下流側に接続されている。
呼び樋３０の長さは、３ｍ以下である。ここで言う呼び樋３０の長さとは、呼び樋３０の長さのうち、受け口に覆われていない部分の長さのことを意味する。この例では、呼び樋３０の実際の長さから、受け口である第１接続継手２０の第２接続部２３、及び第２接続継手３５の後述する第１接続部３７により呼び樋３０が覆われた長さを引いた長さＬ６のことを意味する。
呼び樋３０の長さＬ６は、２ｍ以下であることがより好ましい。長さＬ６の下限は特に限るものではなく、第１接続継手２０の第２接続部２３の端部と、第２接続継手３５の第１接続部３７の端部とが接触していてもよい。この場合、呼び樋３０は、第２接続部２３と第１接続部３７で隠れてしまう程度の長さになる。
【００２１】
図１及び図２に示すように、第２接続継手３５は、曲管部３６と、第１接続部（接続部）３７と、第２接続部（接続部）３８と、を備えている。なお、図２は、第２接続継手３５の軸線を含む断面図である。
図２に示すように、本実施形態では、曲管部３６の中心角度θ１は、約４５°である。
第１接続部３７は、受け口である。第１接続部３７の内径は、曲管部３６の内径よりも大きい。曲管部３６と第１接続部３７との接続部分には、第１接続部３７から径方向内側に突出して曲管部３６に達する第１段部３９が形成されている。
【００２２】
第２接続部３８は、受け口である。第２接続部３８の内径は、曲管部３６の内径よりも大きい。曲管部３６と第２接続部３８との接続部分には、第２接続部３８から径方向内側に突出して曲管部３６に達する第２段部４０が形成されている。
第１接続部３７及び第２接続部３８は、第２接続継手３５の両端に設けられている。第１接続部３７の軸線Ｏ１と第２接続部３８の軸線Ｏ２のなす角度θ２は、約４５°（４５°）である。ここで言う軸線Ｏ１と軸線Ｏ２とのなす角度θ２は、両軸線Ｏ１，Ｏ２のなす角度のうち、鋭角の方の角度を意味する。
この角度θ２は、４５°以下であることが好ましい。なお、この角度θ２の下限は、例えば１°である。
【００２３】
第２接続継手３５の軸線を含む断面おいて、曲管部３６の内周側の内壁面３６ａの曲率半径は、６４ｍｍよりも大きくかつ１２５ｍｍよりも小さい。この断面おいて、曲管部３６の内周側の外壁面３６ｂの曲率半径は、６４ｍｍよりも大きくかつ１２５ｍｍよりも小さいことが好ましい。
図１に示すように、第２接続継手３５は、軒樋１０よりも下流側に配置されている。第１接続部３７には、呼び樋３０の第２端部が挿入されている。
【００２４】
竪樋４５は、第１竪樋４６と、第２竪樋４７と、を備えている。竪樋４６，４７は、それぞれ直管状に形成されていて、互いの外径及び内径が等しい。竪樋４６，４７の内径は６５ｍｍ（竪樋４６，４７の呼び径は６５ｍｍ以上）以上である。竪樋４６，４７の内径は、７５ｍｍ以上であることが好ましく、９８ｍｍ以上であることがより好ましい。前記呼び樋３０の内径も、竪樋４５の内径と同様であることが好ましい。なお、竪樋４６、４７の内径は大きくなるとサイフォン現象が発生する際に、貯留水の重さに竪樋支持具が耐えられなくなる恐れがあるため、１６０ｍｍ以下であることが好ましい。
竪樋４６，４７は、それぞれ上下方向Ｚに沿って延びている。第１竪樋４６は、第２竪樋４７よりも上方に配置されている。第１竪樋４６の上端部は、第２接続継手３５の第２接続部３８内に挿入されている。すなわち、第２接続継手３５は、第１竪樋４６（竪樋４５）の上端部に連なっている。呼び樋３０は、第２接続継手３５を介して竪樋４５に接続されている。
第２接続部３８と第１竪樋４６とは、水密に保持されている。第２接続継手３５は、呼び樋３０と第１竪樋４６（竪樋４５）とを接続している。
【００２５】
サイフォン継手５０は、縮径部を有するものであれば特に限定されない。サイフォン継手５０は、竪樋４５に設けられている。ここで言う縮径部とは、サイフォン継手５０が直接接続される１又は複数の管材のいずれの内径よりも小さい内径を有する継手のことを意味する。
例えば、サイフォン継手５０は、図３に示すように、外筒部５１、内筒部５２と、段部５３と、縮径部５４と、を備えている。
【００２６】
外筒部５１及び内筒部５２は、それぞれ直管状に形成されている。外筒部５１の内径は、竪樋４６，４７の外径にそれぞれ等しい。内筒部５２の外径は、竪樋４６，４７の内径にそれぞれ等しい。内筒部５２は、外筒部５１の内側に外筒部５１と同軸に配置されている。外筒部５１及び内筒部５２は、それぞれ上下方向Ｚに沿って配置されている。
段部５３は、リング状に形成されている。段部５３は、内筒部５２の上端から径方向外側に向かって突出している。段部５３は、外筒部５１における上下方向Ｚの中間部に連結されている。
縮径部５４は、リング状に形成され、段部５３上に固定されている。縮径部５４の内径は、段部５３の内径及び内筒部５２の内径よりもそれぞれ小さい。
【００２７】
第１竪樋４６の下端部は、外筒部５１の上端部内に挿入されている。第１竪樋４６と外筒部５１とは、水密に保持されている。
第２竪樋４７の上端部は、外筒部５１と内筒部５２との間に配置されている。外筒部５１及び内筒部５２と第２竪樋４７とは、水密に保持されている。
図１に示すように、第２接続継手３５とサイフォン継手５０との間に位置する竪樋４５の長さＬ７は、１ｍ以上である。長さＬ７は、第２接続継手３５とサイフォン継手５０との距離でもある。この長さＬ７は、１．５ｍ以上であることが好ましい。この長さＬ７は、４ｍ以下であることが好ましい。この長さＬ７は、３ｍ以下であることがより好ましく、２．８ｍ以下であることが最も好ましい。
呼び樋３０の軸線Ｏ３と竪樋４５の軸線Ｏ４とのなす角度θ４は、４５°以下である。ここで言う両軸線Ｏ３，Ｏ４のなす角度θ４とは、両軸線Ｏ３，Ｏ４のなす角度のうち鋭角の方の角度を意味する。例えば、この角度θ４の下限は１°である。
例えば、第１接続継手２０、呼び樋３０、第２接続継手３５、竪樋４５、及びサイフォン継手５０は、塩化ビニル等の樹脂を押出し成形、射出成形することで形成されている。
【００２８】
第２竪樋４７の下端部は、地面Ｇに接続されている。第２竪樋４７の下端部は、地中に埋設された公知の集水マス（排水機構）２０５に接続されている。集水マス２０５は、連結管２０６を介して下水管等の排水構造２０７に接続されている。
【００２９】
本実施形態の雨樋システム１によれば、建築物２００の屋根２０１に降った雨水は、軒樋１０に流れ込む。軒樋１０の流路断面積Ｓは１１０００ｍｍ２以上であり、竪樋４５の内径は６５ｍｍ以上である。このため、雨樋システム１を、物流倉庫等に用いられる大型の雨樋システムとして用いることができる。竪樋４５に設けられたサイフォン継手５０が縮径部５４を有するため、縮径部５４から下流側に流れ出る雨水の流量よりも、縮径部５４に流れ込む雨水の流量が多くなる。このため、雨水は縮径部５４内に溜まりやすい。縮径部５４内に雨水が溜まると、縮径部５４よりも下流側に配置された竪樋４５（第２竪樋４７）は満水状態になる。すると、縮径部５４内の雨水が縮径部５４よりも下流側に配置された竪樋４５内の雨水に引っ張られてサイフォン現象が発生し、雨樋システム１内の雨水が下流側に勢い良く流れる。
この際に、本願の発明者らは、第２接続継手３５とサイフォン継手５０との間に位置する竪樋４５の長さＬ７が１ｍ以上であることで、縮径部５４を有するサイフォン継手５０でサイフォン現象をより確実に発生させるとともに、サイフォン継手５０で発生したサイフォン現象を、雨樋システム１における上流側の部分に安定して伝達することができることを見い出した。
従って、縮径部５４を備える大型の雨樋システム１であっても、サイフォン現象をより確実に発生させるとともに、発生したサイフォン現象を上流側の部分に安定して伝達することができる。
【００３０】
なお、雨樋システム１の竪樋４５から排水された雨水は、集水マス２０５及び連結管２０６を介して、排水構造２０７に流れ込む。
【００３１】
第２接続継手３５の軸線を含む断面おいて、内壁面３６ａの曲率半径は、６４ｍｍよりも大きくかつ１２５ｍｍよりも小さい。第２接続継手３５の第１接続部３７から第２接続継手３５内に流れ込んだ雨水は、内壁面３６ａで滞らず、内壁面３６ａで雨水の流速が低下し難い。このため、第２接続継手３５内に流れ込んだ雨水を第２接続継手３５の第２接続部３８に向かって円滑に流すことができる。
第２接続継手３５の第１接続部３７の軸線Ｏ１と第２接続部３８の軸線Ｏ２のなす角度θ２は、４５°以下である。第２接続継手３５の第１接続部３７から第２接続継手３５内に流れ込んだ雨水は、第２接続継手３５内で滞らず、第２接続継手３５内で雨水の流速が低下し難い。このため、第２接続継手３５内に流れ込んだ雨水を第２接続継手３５の第２接続部３８に向かって円滑に流すことができる。
【００３２】
呼び樋３０の長さＬ６は３ｍ以下であり、呼び樋３０の軸線Ｏ３と竪樋４５の軸線Ｏ４とのなす角度θ４は４５°以下である。従って、雨樋システム１から単位時間当たりに排出する雨水の流量をより多くすることができる。
【００３３】
なお、本実施形態では、図４に示す雨樋システム１Ａのように構成してもよい。雨樋システム１Ａは、本実施形態の雨樋システム１の第１接続継手２０及び呼び樋３０に代えて、第１接続継手５５を備えている。
第１接続継手５５は、第１接続継手２０の第２接続部２３に代えて、直管部５６を備えている。直管部５６の外径は、呼び樋３０の外径と同一である。直管部５６は、図４中に二点鎖線で示すように、雨樋システム１Ａを施工する前には、充分に長い長さに形成されている。第１接続継手５５では、雨樋システム１Ａの仕様が決まったときに、施工現場等で直管部５６の長さが調節される。そして、長さが調節された直管部５６が、第２接続継手３５の第１接続部３７内に挿入される。
【００３４】
このように構成された変形例の雨樋システム１Ａにおいても、本実施形態の雨樋システム１Ａと同様の効果を奏することができる。
【００３５】
（第２実施形態）
次に、本発明の第２実施形態について図５を参照しながら説明するが、前記実施形態と同一の部位には同一の符号を付してその説明は省略し、異なる点についてのみ説明する。
図５に示すように、本実施形態の雨樋システム２は、第１実施形態の竪樋４５に代えて、竪樋４５Ａと、インクリーザ（拡径部）６０と、地中埋設配管６５と、を備えている。
竪樋４５Ａは、竪樋４５の各構成に加えて、第３竪樋４８を備えている。第３竪樋４８は、第２竪樋４７よりも下方に配置されている。第３竪樋４８の内径は、第２竪樋４７の内径よりも大きい。
【００３６】
インクリーザ６０は、いわゆる拡径用継手である。例えば、インクリーザ６０の上端部の内径よりも、インクリーザ６０の下端部の内径が大きい。インクリーザ６０の上端部は、第２竪樋４７の下端部に接続されている。インクリーザ６０の下端部は、第３竪樋４８の上端部に接続されている。
【００３７】
地中埋設配管６５は、第３竪樋４８の下端部（竪樋４５Ａにおける下流側の端部）に接続されている。地中埋設配管６５は、地中に埋設された配管である。地中埋設配管６５は、第１エルボ６６と、接続管６７と、第２エルボ６８と、を備えている。
接続管６７は、地中に水平面に沿って配置されている。第１エルボ６６は、第３竪樋４８の下端部と接続管６７の第１端部とを接続している。第２エルボ６８は、接続管６７の第２端部に接続されている。第２エルボ６８における接続管６７に接続された端部とは反対側の端部は、下方を向いている。接続管６７の第２端部及び第２エルボ６８は、地中に埋設された雨水マス６９内に配置されている。
インクリーザ６０は、竪樋４５Ａにおける、サイフォン継手５０と地中埋設配管６５との間に設けられている。
雨水マス６９には、配管７０が接続されている。
【００３８】
以上のように構成された雨樋システム２では、縮径部５４を備える大型の雨樋システムであっても、サイフォン現象をより確実に発生させるとともに、発生したサイフォン現象を上流側の部分に安定して伝達することができる。
さらに、インクリーザ６０内において雨水が負圧になることで、竪樋４５Ａにおけるインクリーザ６０よりも上流側の部分での雨水の流量を、さらに多くすることができる。従って、雨樋システム２を流れる雨水の流量を、さらに多くすることができる。
なお、雨樋システム２の竪樋４５Ａから排水された雨水は、地中埋設配管６５を通して、雨水マス６９内に流れ込む。そして、配管７０を通して、雨樋システム２の系外に排出される。
【００３９】
以上、本発明の第１実施形態及び第２実施形態について図面を参照して詳述したが、具体的な構成はこの実施形態に限られるものではなく、本発明の要旨を逸脱しない範囲の構成の変更、組み合わせ、削除等も含まれる。さらに、各実施形態で示した構成のそれぞれを適宜組み合わせて利用できることは、言うまでもない。
第２接続継手３５の軸線を含む断面おいて、第２接続継手３５の内壁面の曲率半径は、６４ｍｍ以下でもよいし、１２５ｍｍ以上でもよい。第２接続継手の角度θ２は、４５°を超えてもよい。
竪樋４５が第１竪樋４６、第２竪樋４７等に分割されているとした。しかし、竪樋は、１本の竪樋として一体に構成されてもよい。
呼び樋３０の軸線Ｏ３と竪樋４５の軸線Ｏ４とのなす角度θ４は、４５°を超えてもよい。
雨樋システム１，２は、第１接続継手２０及び呼び樋３０を備えなくてもよい。
【００４０】
図６に示す第１変形例のように、サイフォン継手５０Ａの縮径部５４は、段部５３と一体になっていてもよい。このサイフォン継手５０Ａでは、内筒部５２が設けられていない。言い換えると、サイフォン継手５０Ａが、外筒部５１と段部５３とによって形成されていて、段部５３が縮径部５４となっている。この変形例において、段部５３（縮径部５４）は、環状の突起である。
【００４１】
ここで、サイフォン継手５０Ａの縮径部５４より上流側で雨水を貯めるため、貯留した雨水により荷重が大きくなる。特に竪樋４５の内径が９８ｍｍ以上で竪樋４５の肉厚が薄い場合、貯留された雨水の荷重により竪樋が破損する恐れがある。そのため、竪樋４５の内径が９８ｍｍ以上の場合、竪樋４５の肉厚は少なくとも３ｍｍ以上が好ましい。
ここで、竪樋４５の肉厚が５ｍｍ以下である場合には、竪樋内径が大きくサイフォン現象が発生する満流状態になりにくいため、サイフォン継手５０Ａの縮径部５４における突出高さを大きくして雨水を貯留しやすくすることが望ましい。
そのため、図７に示す竪樋４７内面からの縮径部５４の突出高さＬは３．５ｍｍ以上６ｍｍ以下が好ましく、４．０ｍｍ以上５．５ｍｍ以下がより好ましい。突出高さＬが３．５ｍｍ未満である場合は、内径が大きいために満流状態になりにくくサイフォン現象が発生しにくい恐れがある。一方、突出高さＬが６ｍｍ超である場合は、流量が低下する恐れがある。
【００４２】
一方、竪樋４５の内径が９８ｍｍ以上で竪樋４５の肉厚が大きい場合、内径が小さいために縮径部５４によりサイフォン現象が発生しやすいものの流量が低下しやすい。
そのため、竪樋４５の肉厚が６．５ｍｍより大きい場合には、図７に示す竪樋４７内面からの縮径部５４の突出高さＬは０．４ｍｍ以上２．０ｍｍ以下が好ましく、０．６ｍｍ以上２．０ｍｍ以下がより好ましく、１．１ｍｍ以上２．０ｍｍ以下がさらに好ましい。突出高さＬが０．４ｍｍ未満である場合は、サイフォン現象が発生しにくい恐れがある。一方、突出高さＬが２．０ｍ超である場合は、流量が低下する恐れがある。
【００４３】
図８に示す第２変形例のように、サイフォン継手５０Ｂでは、段部５３（縮径部５４）に対する下流側に合流部５７を設けても良い。
第１変形例の場合と同様に、竪樋の内径が９８ｍｍ以上で竪樋の肉厚が５ｍｍ以下である場合、図９に示す竪樋４７内面からの縮径部５４の突出高さＬは、３．５ｍｍ以上６ｍｍ以下が好ましく、４．０ｍｍ以上５．５ｍｍ以下がより好ましい。一方、竪樋の内径が９８ｍｍ以上で竪樋の肉厚が６．５ｍｍ以上である場合、縮径部５４の突出高さＬは０．４ｍｍ以上２．０ｍｍ以下が好ましく、０．６ｍｍ以上２．０ｍｍ以下がより好ましく、１．１ｍｍ以上２．０ｍｍ以下がさらに好ましい。
【００４４】
図１０に示す第３変形例のように、本発明の実施形態に係る、軒樋１０の開口部１１ｂ（落し口）と継手２０を接続するドレン継手７００を設けても良い。また、ドレン継手７００にサイフォン発生部材７を設けても良い。これにより、大雨時に軒樋内に雨水が流入した時でも、サイフォン現象が発生して高い排水能力を有する。サイフォン発生部材７は、例えば、硬質塩化ビニル樹脂やポリカーボンネート、ＡＢＳ、ＡＥＳ等の合成樹脂の射出成型品であってもよい。またサイフォン発生部材７は、鋳型を用いた鋳鉄製であってもよい。
【００４５】
サイフォン発生部材７は、落し口部７２、リブ７１または蓋部材７３を有してもよい。落し口部７２は、軒樋１０から下方に突出している。リブ７１は、軒樋１０の底面１１ａから上方に延びている。リブ７１は、落し口部７２の周方向に間隔をあけて複数設けられている。蓋部材７３を設ける場合には、複数のリブ７１によって下方から支持されている。蓋部材７３は、落し口部７２を上方から覆っている。サイフォン発生部材７では、蓋部材７３とリブ７１との間の隙間を通して落し口部７２に雨水が流入される。蓋部材７３には貫通孔を設けても良い。
【００４６】
落し口部７２の開口面積は、３０ｃｍ２以上１９０ｃｍ２以下である。落し口部７２の開口面積が３０ｃｍ２未満である場合は、サイフォン発生部材７で発生する大流量の排水をスムーズに排水することができない恐れがある。一方、落し口部７２の開口面積が１９０ｃｍ２超の場合は、収まりが大きくなり、ドレン継手７００や、軒樋１０を支持する支持具の大型化を招く恐れがある。
【００４７】
軒樋１０の底面１１ａから１０〜５０ｍｍの高さとなるようにサイフォン発生部材７の蓋部材７３の位置を設定することで、大雨時に多量の雨水が開口から流入した時にも空気を吸い込むことなくサイフォン発生部材７が満水状態となって水封される。従って、落し口部７２にサイフォン現象を発生させることができるため、優れた排水性能が得られる。
【００４８】
（実施例）
以下では、本発明の実施例及び比較例を具体的に示してより詳細に説明するが、本発明は以下の実施例に限定されるものではない。
なお、以下の実施例及び比較例では、軒樋１０の流路断面積Ｓは１１０００ｍｍ２以上とし、竪樋４５の呼び径は７５（竪樋４５の内径は７８ｍｍ又は８４ｍｍ）としている。（実施例１）
表１に示す仕様Ｎｏ．１〜４のように、第２接続継手３５とサイフォン継手５０との間に位置する竪樋４５の長さＬ７を変化させた。そして、軒樋１０の開口部１１ｂ（落し口）での雨水の流量を測定した。
【００４９】
【表１】
0006835995.tif 000002
【００５０】
仕様Ｎｏ．１では、竪樋４５の長さＬ７を３ｍとし、軒樋１０の開口部１１ｂでの雨水の流量を２０Ｌ／ｓ（リットル毎秒）とした。この場合、サイフォン現象が発生していたため、軒樋１０からの雨水の溢れは無かった。
仕様Ｎｏ．２では、竪樋４５の長さＬ７を２ｍとし、軒樋１０の開口部１１ｂでの雨水の流量を１５Ｌ／ｓとした。この場合、サイフォン現象が発生していたため、軒樋１０からの雨水の溢れは無かった。
仕様Ｎｏ．３では、竪樋４５の長さＬ７を１．２ｍとし、軒樋１０の開口部１１ｂでの雨水の流量を１０Ｌ／ｓとした。この場合、サイフォン現象が発生していたため、軒樋１０からの雨水の溢れは無かった。
そして、仕様Ｎｏ．４では、竪樋４５の長さＬ７を０．８ｍとし、軒樋１０の開口部１１ｂでの雨水の流量を７Ｌ／ｓとした。この場合、サイフォン現象が遮断されていたため、軒樋１０から雨水が溢れた。
実施例１では、仕様Ｎｏ．１から仕様Ｎｏ．３が実施例となり、仕様Ｎｏ．４が比較例となることが分かった。
【００５１】
（実施例２）
表２に示す仕様Ｎｏ．６〜１０のように、呼び樋３０の軸線Ｏ３と竪樋４５の軸線Ｏ４とのなす角度θ４、及び呼び樋３０の長さＬ６を変化させた。そして、雨水の流量を測定した。
【００５２】
【表２】
0006835995.tif 000003
【００５３】
仕様Ｎｏ．６では、角度θ４を４５°とし、呼び樋３０の長さＬ６を１ｍとした。この場合、雨水の流量は２０Ｌ／ｓとなった。
仕様Ｎｏ．７では、角度θ４を２５°とし、呼び樋３０の長さＬ６を１ｍとした。この場合、雨水の流量は２３Ｌ／ｓとなった。
仕様Ｎｏ．８では、角度θ４を４５°とし、呼び樋３０の長さＬ６を２ｍとした。この場合、雨水の流量は１２Ｌ／ｓとなった。
仕様Ｎｏ．９では、角度θ４を４５°とし、呼び樋３０の長さＬ６を３ｍとした。この場合、雨水の流量は１０Ｌ／ｓとなった。
そして、仕様Ｎｏ．１０では、角度θ４を４５°とし、呼び樋３０の長さＬ６を４ｍとした。この場合、雨水の流量は５Ｌ／ｓとなった。
実施例２では、仕様Ｎｏ．６から仕様Ｎｏ．１０においてサイフォン現象が発生し、軒樋１０からの雨水の溢れは無かった。このため、仕様Ｎｏ．６から仕様Ｎｏ．１０が実施例となることが分かった。
【００５４】
（実施例３）
表３に示す仕様Ｎｏ．１１〜１９のように、竪樋４５の肉厚とサイフォン継手５４の縮径部の段差Ｌの長さを変化させた。そして、サイフォン現象の発生及びサイフォン継手５４より上流の軒樋１０からの溢れの有無を測定した。
【００５５】
【表３】
0006835995.tif 000004
【００５６】
実施例３では、仕様Ｎｏ．１１から仕様Ｎｏ．１５においてサイフォン現象が発生し、かつ、軒樋１０からの雨水の溢れは無かった。一方、仕様１６、１８はサイフォン現象が発生しにくく軒樋１０からの溢れが発生した。また、仕様１７、１９はサイフォン現象が発生するものの流量が少なく軒樋１０からの溢れが発生した。このため、仕様Ｎｏ．１１から仕様Ｎｏ．１５が実施例となることが分かった。
【符号の説明】
【００５７】
１，１Ａ，２  雨樋システム
１０  軒樋
３０  呼び樋
３５  第２接続継手（接続継手）
３６ａ  内壁面
４５，４５Ａ  竪樋
５０  サイフォン継手
５４  縮径部
６０  インクリーザ（拡径部）
６５  地中埋設配管
Ｌ６，Ｌ７  長さ
Ｏ１，Ｏ２，Ｏ３，Ｏ４  軸線
Ｓ  流路断面積
θ２，θ４  角度
【要約】
【課題】縮径部を備える大型の雨樋システムであっても、サイフォン現象をより確実に発生させるとともに、発生したサイフォン現象を上流側の部分に安定して伝達することができる雨樋システムを提供する。
【解決手段】軒樋１０と、竪樋４５と、軒樋よりも下流側に配置され、竪樋の上端部に連なる接続継手３５と、縮径部を有し竪樋に設けられたサイフォン継手５０と、を備える雨樋システム１であって、軒樋の流路断面積Ｓは１１０００ｍｍ２以上であり、竪樋の内径は６５ｍｍ以上であり、接続継手とサイフォン継手との間に位置する竪樋の長さＬ７は１ｍ以上である。
【選択図】図１【図１】
0006835995.tif 000005
【図２】
0006835995.tif 000006
【図３】
0006835995.tif 000007
【図４】
0006835995.tif 000008
【図５】
0006835995.tif 000009
【図６】
0006835995.tif 000010
【図７】
0006835995.tif 000011
【図８】
0006835995.tif 000012
【図９】
0006835995.tif 000013
【図１０】
0006835995.tif 000014